(57)【要約】【課題】  従来よりも簡単な構造で、ハウスにハウスバンドを固定することが可能なハウスバンド固定部材等を提供する。【解決手段】  ハウスバンド固定部材１のハウス固定部３は、ハウスに固定される。ハウスバンドの一方端は、ハウスに固定されている。ハウスバンドの他方端は、押止部４を超えて第１穴部７に通され、第２穴部９に通されて、固定された側のハウスバンドと押止部４の間を通される。ハウスバンドの一方端は固定されていることから、他方端を引っ張ることにより、固定された側のハウスバンドは短くなり、固定された側のハウスバンドと押止部４との距離は狭くなる。固定された側のハウスバンドと押止部４との間は狭くなり、これらの間にあるハウスバンドが挟まれて押さえられて固定される。【選択図】  図１
2016021920.tif 000002
【特許請求の範囲】
【請求項１】
ハウスの被覆材を押さえるためのハウスバンドを固定するハウスバンド固定部材であって、
前記ハウスに固定される固定部と、
押止部と、
前記押止部と前記固定部との間に形成された第１穴部と、
前記押止部と前記第１穴部との間に形成された第２穴部を備え、
少なくとも前記第１穴部と前記第２穴部の間に面状の部分があり、前記押止部は、面状の部分の一方の面である特定面の側に、前記特定面よりも高く形成されたものであり、
前記ハウスバンドは、
一方端が、前記ハウスに固定され、
他方端が、前記特定面の側から反対面の側に前記第１穴部を通され、前記反対面の側から前記特定面の側に前記第２穴部を通されて、当該他方端が前記押止部よりも前記一方端の側にあることにより、前記第１穴部よりも前記一方端の側の前記ハウスバンドと前記押止部とが、前記第２穴部よりも前記他方端の側にある前記ハウスバンドを挟んで押さえて固定することを特徴とするハウスバンド固定部材。
【請求項２】
前記第１穴部よりも前記固定部の側に、前記特定面の側に前記特定面よりも高く形成された誘導部を備える請求項１記載のハウスバンド固定部材。
【請求項３】
前記押止部は、凹部を有する、請求項１又は２に記載のハウスバンド固定部材。
【請求項４】
前記固定部は、
固定部本体と、
前記一方端側において斜め方向に前記他方端側に向けて形成された固定斜部と、
前記固定斜部に続いて前記固定斜部とは異なる方向に形成された固定支部と、
前記一方端側において前記固定部本体と前記固定斜部により形成された空間の開放部分を減少させる制約部材を取り付け可能な制約部材取付部と、
Ｕ字部材を取り付け可能なＵ字部材取付部を備え、
前記ハウスにある溝部に前記固定斜部及び前記固定支部を固定可能であり、
前記ハウスのワイヤを、前記固定部本体及び前記固定斜部により形成される空間に入れて前記制約部材取付部に前記制約部材を取り付けて固定可能であり、
前記ハウスのパイプに対して、Ｕ字部材取付部にＵ字部材を取り付けて固定可能である、請求項１から３のいずれかに記載のハウスバンド固定部材。
【請求項５】
ハウスの被覆材を押さえるためのハウスバンドを、ハウスバンド固定部材を用いて固定するハウスバンド固定方法であって、
前記ハウスバンド固定部材は、前記ハウスに固定される固定部と、押止部と、前記押止部と前記固定部との間に形成された第１穴部と、前記押止部と前記第１穴部との間に形成された第２穴部を備え、少なくとも前記第１穴部と前記第２穴部の間に面状の部分があり、前記押止部は、面状の部分の一方の面である特定面の側に、前記特定面よりも高く形成されたものであり、
前記ハウスバンドの一方端を前記ハウスに固定し、他方端を、前記特定面の側から反対面の側に前記第１穴部を通し、前記反対面の側から前記特定面の側に前記第２穴部を通して、当該他方端が前記押止部よりも前記一方端の側にあるようにして、前記第１穴部よりも前記一方端の側の前記ハウスバンドと前記押止部とが、前記第２穴部よりも前記他方端の側にある前記ハウスバンドを挟んで押さえて固定するステップを含むハウスバンド固定方法。
【発明の詳細な説明】
【技術分野】
【０００１】
本願発明は、ハウスバンド固定部材及びハウスバンド固定方法に関し、特に、ハウスの被覆膜を押さえるためのハウスバンドを固定するハウスバンド固定部材等に関する。
【背景技術】
【０００２】
ビニルハウス等のハウスは、プラスチックフィルム等の被覆材に覆われている。被覆材は、留め材により固定されているが、留め材と留め材との間などではばたつきが生じたり、ゆるんだり、外れたりする。ハウスバンドは、被覆材の間などに掛け回して被覆材を押さえることにより、被覆材のばたつき、ゆるみ、外れを抑える。非特許文献１には、ハウスバンドの留め具の一例が記載されている。
【先行技術文献】
【非特許文献】
【０００３】
【非特許文献１】シーアイ化成，「スカイコートバンドＥＸ」，[online]、インターネット＜ＵＲＬ：http://www.cik-agri.jp/wp/wp-content/uploads/2013/03/kr_skycortEX.pdf＞
【発明の概要】
【発明が解決しようとする課題】
【０００４】
しかしながら、従来のハウスバンドの留め具は、複雑な構造であった。例えば非特許文献１に記載の留め具は、ハウスバンドを通し穴に複雑に通して締め上げ、ストッパーを操作して取り付けるものである。そのため、取り付け作業が難しく、さらに、後から締め直す等の修正作業も難しくなる。また、構造が複雑なため、故障するリスクも高い。
【０００５】
そこで、本願発明は、従来よりも簡単な構造で、ハウスにハウスバンドを固定することが可能なハウスバンド固定部材等を提供することを目的とする。
【課題を解決するための手段】
【０００６】
本願発明の第１の観点は、ハウスの被覆材を押さえるためのハウスバンドを固定するハウスバンド固定部材であって、前記ハウスに固定される固定部と、押止部と、前記押止部と前記固定部との間に形成された第１穴部と、前記押止部と前記第１穴部との間に形成された第２穴部を備え、少なくとも前記第１穴部と前記第２穴部の間に面状の部分があり、前記押止部は、面状の部分の一方の面である特定面の側に、前記特定面よりも高く形成されたものであり、前記ハウスバンドは、一方端が、前記ハウスに固定され、他方端が、前記特定面の側から反対面の側に前記第１穴部を通され、前記反対面の側から前記特定面の側に前記第２穴部を通されて、当該他方端が前記押止部よりも前記一方端の側にあることにより、前記第１穴部よりも前記一方端の側の前記ハウスバンドと前記押止部とが、前記第２穴部よりも前記他方端の側にある前記ハウスバンドを挟んで押さえて固定することを特徴とするものである。
【０００７】
本願発明の第２の観点は、第１の観点のハウスバンド固定部材であって、前記第１穴部よりも前記固定部の側に、前記特定面の側に前記特定面よりも高く形成された誘導部を備えるものである。
【０００８】
本願発明の第３の観点は、第１又は第２の観点のハウスバンド固定部材であって、前記押止部は、凹部を有するものである。
【０００９】
本願発明の第４の観点は、第１から第３のいずれかの観点のハウスバンド固定部材であって、前記固定部は、固定部本体と、前記一方端側において斜め方向に前記他方端側に向けて形成された固定斜部と、前記固定斜部に続いて前記固定斜部とは異なる方向に形成された固定支部と、前記一方端側において前記固定部本体と前記固定斜部により形成された空間の開放部分を減少させる制約部材を取り付け可能な制約部材取付部と、Ｕ字部材を取り付け可能なＵ字部材取付部を備え、前記ハウスにある溝部に前記固定斜部及び前記固定支部を固定可能であり、前記ハウスのワイヤを、前記固定部本体及び前記固定斜部により形成される空間に入れて前記制約部材取付部に前記制約部材を取り付けて固定可能であり、前記ハウスのパイプに対して、Ｕ字部材取付部にＵ字部材を取り付けて固定可能であるものである。
【００１０】
本願発明の第５の観点は、ハウスの被覆材を押さえるためのハウスバンドを、ハウスバンド固定部材を用いて固定するハウスバンド固定方法であって、前記ハウスバンド固定部材は、前記ハウスに固定される固定部と、押止部と、前記押止部と前記固定部との間に形成された第１穴部と、前記押止部と前記第１穴部との間に形成された第２穴部を備え、少なくとも前記第１穴部と前記第２穴部の間に面状の部分があり、前記押止部は、面状の部分の一方の面である特定面の側に、前記特定面よりも高く形成されたものであり、前記ハウスバンドの一方端を前記ハウスに固定し、他方端を、前記特定面の側から反対面の側に前記第１穴部を通し、前記反対面の側から前記特定面の側に前記第２穴部を通して、当該他方端が前記押止部よりも前記一方端の側にあるようにして、前記第１穴部よりも前記一方端の側の前記ハウスバンドと前記押止部とが、前記第２穴部よりも前記他方端の側にある前記ハウスバンドを挟んで押さえて固定するステップを含むものである。
【００１１】
なお、本願発明を、ハウスに固定される固定部材であって、固定部本体と、一方端側において斜め方向に他方端側に向けて形成された固定斜部と、前記固定斜部に続いて前記固定斜部とは異なる方向に形成された固定支部と、前記一方端側において前記固定部本体と前記固定斜部により形成された空間の開放部分を減少させる制約部材を取り付け可能な制約部材取付部を備え、前記ハウスにある溝部に前記固定斜部及び前記固定支部を固定可能であり、前記ハウスのワイヤを、前記固定部本体及び前記固定斜部により形成される空間に入れて前記制約部材取付部に前記制約部材を取り付けて固定可能であるものとして捉えてもよい。
【発明の効果】
【００１２】
本願発明の各観点によれば、ハウスバンドは、第１穴部と第２穴部によって折り返される。ハウスバンドの一方端は、固定されている。ハウスバンドの他方端は、押止部を超えて第１穴部に特定面から反対面に通され、第２穴部に反対面から特定面に通され、そして、固定された側のハウスバンドと押止部の間を通される。ハウスバンド固定部材の固定部はハウスに固定されており、ハウスバンドの一方端も固定されていることから、利用者がハウスバンドの他方端を引っ張ることにより、固定された側のハウスバンドは短くなる。そして、固定された側のハウスバンドと押止部との間は狭くなり、これらの間にあるハウスバンドが挟まれて押さえられて固定される。利用者は、ハウスバンドを第１穴部と第２穴部を通過させて引っ張ればよく、取り付けも修正も簡単である。さらに、ハウスバンド自体を利用して固定することから、ストッパー等の部品は不要であり、ハウスバンド固定部材の構造は簡単である。よって、ハウスバンド固定部材の構造は簡単なものとなり、かつ、利用者は、簡単に取り付けや修正などをすることができる。
【００１３】
本願発明の第２の観点によれば、第１穴部にハウスバンドのさそい口として誘導部を設けることにより、取り付けがさらに簡単になる。なお、第２穴部については、押止部が第２穴部の近傍にあることにより、ハウスバンドを第２穴部に容易に通すことができる。
【００１４】
本願発明の第３の観点によれば、押止部に凹部を設けることにより、幅の異なるハウスバンドを容易に固定することができる。ハウスバンドには、さまざまな幅のもの（例えば、１２０ｍｍ、６０ｍｍ、５０ｍｍ、１５ｍｍなど）がある。押止部を一様の高さにすると、通常は押止部上で重なって固定できても、狭いものなどでは重ならずに固定できない可能性が考えられる。押止部に凹部を設けることにより、狭いものであっても押止部上で確実に重ねて固定することができる。
【００１５】
本願発明の第４の観点によれば、３つの方法で固定部を固定することが可能である。ハウスでは、例えば出願人が販売するビニバー（登録商標）などを用いて、開放部が狭くなった溝にスプリングを入れて、被覆材を固定することが行われている。この溝内部に固定斜部と固定支部を入れてスプリングで固定することにより、固定部をハウスに固定することができる。また、ハウスに針金等のワイヤがあれば、固定部本体と固定斜部が形成する空間にワイヤを入れることにより少なくともハウスに固定することができる。さらに制約部材を取り付けることにより、ワイヤが固定部本体と固定斜部と制約部材により形成される空間から出ることを制限して、ハウスバンド固定部材をより確実にハウスに固定することができる。さらに、Ｕ字部材を利用して、ハウスのパイプ等に固定することも可能になる。
【図面の簡単な説明】
【００１６】
【図１】本願発明の実施の形態に係るハウスバンド固定部材の構成の一例を示す図である。
【図２】図１のハウスバンド固定部材１へのハウスバンドの取り付けを説明するための図である。
【図３】試作品を用いて、実際に固定されることを示す図である。
【図４】図１のハウス固定部４の一例を示す図である。
【図５】ハウスバンド固定部材をスチールで作成するときの一例を示す図である。
【発明を実施するための形態】
【００１７】
以下、本願発明の実施の形態について説明する。なお、本願発明は、下記の実施例に限定されるものではない。
【実施例】
【００１８】
図１は、本願発明の実施の形態に係るハウスバンド固定部材の構成の一例を示す図である。（ａ）は側面図、（ｂ）は平面図、（ｃ）は正面図を示す。
【００１９】
図１（ａ）を参照して、ハウスバンド固定部材１は、ハウスバンド固定部２と、ハウス固定部３（本願請求項の「固定部」の一例）を備える。
【００２０】
ハウスバンド固定部２は、ハウスバンドを固定するためのものである。ハウスバンド固定部２は、押止部４（本願請求項の「押止部」の一例）と、誘導部５（本願請求項の「誘導部」の一例）と、第１穴部７（本願請求項の「第１穴部」の一例）と、第２穴部９（本願請求項の「第２穴部」の一例）を備える。押止部４は、ハウスバンドを押さえるためのものである。誘導部５は、第１穴部７にハウスバンドを通すためのさそい口として設けられるものである。第１穴部７と第２穴部９との間は、面状の部分がある。押止部４と誘導部５は、第１穴部７と第２穴部９との間の面状の部分に対して同じ側に、第１穴部７と第２穴部９との間の部分よりも高く形成されている。以下では、押止部４と誘導部５が形成されている側の面を「第１面」（本願請求項の「特定面」の一例）といい、反対側の面を「第２面」（本願請求項の「反対面」の一例）という。第１穴部７は、ハウスバンドを、第１面から第２面に通すための穴である。第２穴部９は、第１穴部７に通したハウスバンドを、第２面から第１面に通すための穴である。
【００２１】
ハウスバンドの一方端は、押止部４の側（図１（ａ）の上方）で固定されている。ハウスバンドの他方端は、押止部４を超えて第１穴部７に第１面側から第２面側に通され、第２穴部９に第２面側から第１面側に通され、そして、固定された位置から第１穴部７までのハウスバンドと押止部４の間を通される。ハウス固定部３はハウスに固定されており、ハウスバンドの一方端も固定されていることから、他方端を引っ張ることにより、固定された位置から第１穴部７までのハウスバンドは短くなり、固定された位置から第１穴部７までのハウスバンドと押止部４との距離は狭くなる。そのため、これらの間にあるハウスバンドが挟まれて押さえられて固定される。
【００２２】
ハウス固定部３は、ハウスバンド固定部材１をハウスに固定するためのものである。ハウス固定部３は、固定部本体１０（本願請求項の「固定部本体」の一例）と、固定斜部１１（本願請求項の「固定斜部」の一例）と、固定支部１３（本願請求項の「固定支部」の一例）を備える。固定部本体１０の一方端は、ハウスバンド固定部２に接続する。固定部本体１０の他方端には、斜め方向に、ハウスバンド固定部２側に固定斜部１１が形成されている。そのため、固定部本体１０と固定斜部１１とは、略Ｖ字型となる。そのため、ハウスバンド固定部材１は、この略Ｖ字型の部分を利用して、ハウスのワイヤでハウスバンド固定部２とは反対側に引っ張って固定することができる。また、固定支部１３は、固定斜部１１に続き、形成されたものである。ハウスでは、例えば出願人が販売するビニバー（登録商標）などのように、開放部が狭くなった溝にスプリングを入れて、被覆材を固定することが行われている。この溝内部に固定斜部と固定支部を入れてスプリングで固定することにより、固定部をハウスに固定することができる。
【００２３】
図１（ｂ）を参照して、押止部４は、凹部１５（本願請求項の「凹部」の一例）を備える。ハウスバンドには、さまざまな幅のもの（例えば、１２０ｍｍ、６０ｍｍ、５０ｍｍ、１５ｍｍなど）がある。押止部４を一様の高さにすると、幅が広いものでは押止部４の上で重なって固定できても、幅の狭いものでは、場合によっては重ならず、固定できない可能性が考えられる。押止部４に凹部１５を設けることにより、幅が狭いものであっても、押止部４の凹部１５で重ねて確実に固定することができる。凹部１５の形成する位置は、端でなく途中であればよい。特に中央であれば、引っ張ったときにバランスを容易に保つことができる。
【００２４】
図１（ｃ）を参照して、ハウス固定部３の構成の一例について説明する。ハウス固定部３は、固定部本体１０と、固定斜部１１と、固定支部１３に加えて、制約部材取付部１７（本願請求項の「制約部材取付部」の一例）と、Ｕ字部材取付部１９1及び１９2（添え字は、省略することもある。）を備える。制約部材取付部１７は、ワイヤ等でハウスバンド固定部２とは反対側に引っ張って固定する場合に、ワイヤ等が外れないように開放空間を制約するための制約部材を取り付けるためのものである。Ｕ字部材取付部１９は、パイプ等に固定するためのＵ字部材を取り付けるためのものである。
【００２５】
図２は、図１のハウスバンド固定部材１へのハウスバンドの取り付けを説明するための図である。ハウスバンドの一方端は、固定されている。利用者は、（ａ）にあるように、他方端を、押止部４を超えて、第１穴部７に、第１面の側から第２面の側に通す。続いて、（ｂ）にあるように、第２穴部９に、第２面の側から第１面の側に通す。そして、（ｃ）にあるように、押止部４と、一方端から第１穴部７までのハウスバンド２１との間に、第２穴部９から他方端までのハウスバンド２３を挟む。そして、利用者が、他方端から第２穴部９から他方端までハウスバンド２３を他方端側に引っ張ると、一方端から第１穴部７までのハウスバンド２１の長さが短くなる。そのため、（ｄ）にあるように、一方端から第１穴部７までのハウスバンド２１と押止部４との間隔が狭くなり、第２穴部９から他方端までのハウスバンド２３は、一方端から第１穴部７までのハウスバンド２１と押止部４との間に挟まれて押さえられる。このようにして、ハウスバンド固定部材１を利用して、ハウスバンドを固定することができる。
【００２６】
図３は、試作品を用いて、実際に固定されることを示す図である。（ａ）はハウスバンドを通したものを示し、（ｂ）は引っ張ることにより固定されることを示す。図３（ａ）では、ハウスバンドは、押止部２７を超えて、第１穴部２９及び第２穴部３１を通し、通した後の部分も押止部２７を超えるようにしている（図２（ｃ）参照）。実際のハウスバンドの一方端は、ハウスに固定され、固定された位置から第１穴部２９までの部分３３と、第２穴部３１を通った部分３５を含む。図３（ｂ）にあるように、ハウス固定部２５と、ハウスバンドの部分３３を固定し、ハウスバンドの部分３５を引っ張ることにより、ハウスバンドの部分３３が短くなり、ハウスバンドの部分３３と押止部２７との距離が狭くなる。そのため、ハウスバンドの部分３５は、ハウスバンドの部分３３と押止部２７とにより挟まれて押さえられる（図２（ｄ）参照）。ハウスバンド固定部材１は、ハウスバンドを固定することができる。
【００２７】
図４は、ハウス固定部４の一例を示す図である。（ａ）は出願人が販売するビニバー（登録商標）などにおいてハウスに固定すること、（ｂ）はワイヤ等を用いてハウスに固定すること、（ｃ）はＵ字部材を用いてハウスに固定することを示す。
【００２８】
図４（ａ）を参照して、ハウスでは、例えば出願人が販売するビニバー（登録商標）などのように、帯状部材で開放部が狭くなった溝が形成されており、溝内部にスプリングを入れて被覆材を固定することが行われている。固定斜部１１と固定支部１３が接続する部分を利用して、溝内部の空間で被覆材をスプリングで固定することと同様にして、ハウスバンド固定部材１を固定することができる。固定斜部１１及び固定支部１３は、この帯状部材４１の内部形状に合わせた形状とすることが望ましい。
【００２９】
また、図４（ｂ）を参照して、ハウスでは、針金等のワイヤを用いて固定することができる。ワイヤ４３は、ハウスバンド固定部材１を、押止部４とは反対側に引っ張るため、固定部本体１０と固定斜部１１とで形成された略Ｖ字型の部分を用いてワイヤ４３で引っ張って固定することができる。さらに、制約部材取付部１７に、制約部材４５を取り付けることにより、固定部本体１０と固定斜部１１とで形成された空間の開放部分を狭くして、ワイヤ４３が外れる可能性を減らすことができる。
【００３０】
このように、固定部本体１０に固定斜部１１と固定支部１３を形成することにより、図４（ａ）にあるように溝とスプリング等を利用して固定するだけでなく、図４（ｂ）にあるようにワイヤを用いて固定することもできる。
【００３１】
さらに、図４（ｃ）にあるように、Ｕ字部材取付部１９にＵ字部材４７を取り付けることにより、さまざまな形状のパイプ等に固定することが可能になる。
【００３２】
図５は、ハウスバンド固定部材をスチールで作成する場合の一例を示す図である。このように、スチール等を含めた様々な部材で作成することが可能である。
【符号の説明】
【００３３】
１  ハウスバンド固定部材、２，２５  ハウスバンド固定部、３  ハウス固定部、４，２７  押止部、５  誘導部、７，２９  第１穴部、９，３１  第２穴部、１１  固定斜部、１３  固定支部、１５  凹部、１７  制約部材取付部、１９  Ｕ字部材取付部、２１，３３  固定された側のハウスバンド、２３，３５  固定されていない側のハウスバンド、４１  帯状部材、４３  ワイヤ，４５  制約部材，４７  Ｕ字部材
【図１】
2016021920.tif 000003
【図２】
2016021920.tif 000004
【図５】
2016021920.tif 000005
【図３】
2016021920.tif 000006
【図４】
2016021920.tif 000007